(57)【要約】【課題】連写された一連の静止画ファイル又は動画ファイルを一括して編集することにより、画像中の特定箇所の変化過程を確認するのに便宜な画像編集装置を提供する。【解決手段】再生中の動画を一時停止させ、所定のフレーム画像を表示させる手段と、表示されたフレーム画像中の任意の座標に所定形状のマーキングを書き込む手段と、表示されたフレーム画像の前及び／又は後の所定数のフレーム画像中の同一座標に同一形状のマーキングを書き込む手段と、表示されたフレーム画像及び表示されたフレーム画像の前及び／又は後の所定数のフレーム画像を同時にインデックス表示させる手段と、を備える。【選択図】　　　　　図３
2004080614.tif 000002
【特許請求の範囲】
【請求項１】
再生中の動画を一時停止させ、所定のフレーム画像を表示させる手段と、
前記表示されたフレーム画像中の任意の座標に所定形状のマーキングを書き込む手段と、
前記表示されたフレーム画像の前及び／又は後の所定数のフレーム画像中の同一座標に同一形状のマーキングを書き込む手段と、
前記表示されたフレーム画像及び前記表示されたフレーム画像の前及び／又は後の所定数のフレーム画像を同時にインデックス表示又は動画表示させる手段と、
を備えたことを特徴とする画像編集装置。
【請求項２】
再生中の動画を一時停止させ、所定のフレーム画像を表示させる手段と、
前記表示されたフレーム画像中の任意の座標に所定形状のマーキングを書き込む手段と、
前記表示されたフレーム画像の前及び／又は後の所定数のフレーム画像中の同一座標に同一形状のマーキングを書き込む手段と、
前記表示されたフレーム画像及び前記表示されたフレーム画像の前及び／又は後の所定数のフレーム画像を保存させる手段と、
を備えたことを特徴とする画像編集装置。
【請求項３】
連続的に撮影された一連の静止画ファイルのうち、所定の静止画像を表示させる手段と、
前記表示された静止画像中の任意の座標に所定形状のマーキングを書き込む手段と、
前記表示された静止画像の前及び／又は後の所定数の静止画像中の同一座標に同一形状のマーキングを書き込む手段と、
前記表示された静止画像及び前記表示された静止画像の前及び／又は後の所定数の静止画像を同時にインデックス表示又はコマ送り表示させる手段と、
を備えたことを特徴とする画像編集装置。
【請求項４】
連続的に撮影された一連の静止画ファイルのうち、所定の静止画像を表示させる手段と、
前記表示された静止画像中の任意の座標に所定形状のマーキングを書き込む手段と、
前記表示された静止画像の前及び／又は後の所定数の静止画像中の同一座標に同一形状のマーキングを書き込む手段と、
前記表示された静止画像及び前記表示された静止画像の前及び／又は後の所定数の静止画像を保存させる手段と、
を備えたことを特徴とする画像編集装置。
【発明の詳細な説明】
【０００１】
【発明の属する技術分野】本発明は画像編集装置に係り、特にデジタルカメラの連写機能によって撮影された連続する一連の静止画よりなる静止画ファイル又は動画ファイルを一括して編集することにより、画像中の特定箇所の変化過程を確認するのに便宜な画像編集装置に関する。
【０００２】
【従来の技術】
近年、デジタルカメラが普及してきた。これらのデジタルカメラには、通常の単写機能の他に動画撮影機能や連写機能を有するものもある。
【０００３】
デジタルカメラで撮影された静止画は、ＪＰＥＧ（Ｊｏｉｎｔ　Ｐｈｏｔｏｇｒａｐｈｉｃ　Ｅｘｐｅｒｔｓ　Ｇｒｏｕｐ）などの圧縮・伸張方式による静止画ファイルとしてデジタルカメラ付属の記録メディアに記録され、デジタルカメラで撮影された動画は、Ｍｏｔｉｏｎ　ＪＰＥＧ　などの動画ファイルとしてデジタルカメラ付属の記録メディアに記録され、その記録メディアは保存用・鑑賞用として使用されている。なお、Ｍｏｔｉｏｎ　ＪＰＥＧ　は、各フレーム画像をＪＰＥＧ方式で圧縮し、一連の画像群として記録する方法であり、再生時は各フレームが連続的に再生される。
【０００４】
また、デジタルカメラの連写機能によって撮影された一連の静止画は、１枚ずつ静止画ファイルとしてデジタルカメラ付属の記録メディアに記録される。
【０００５】
ところで、撮影された動画又は連写された一連の静止画を再生してゴルフ、テニス等におけるフォームをチェックする要求も多くなっている。たとえば、ゴルフのスイング動作において、頭の振れの有無をチェックしたり、野球の投球動作において、軸足の傾きの度合いをチェックしたりし、フォームの良否を判定することは多い。
【０００６】
この場合に、単に撮影された動画又は連写された一連の静止画を見たり、動画の所定数のフレーム画像をインデックス表示させたり、所定数の静止画像をインデックス表示させたりした場合、全体のフォームをチェックすることはできるが、頭の振れの有無や軸足の傾きの度合いは判りにくく、デジタルカメラの機能が有効に発揮できない。
【０００７】
一方、従来技術ではこのような要求に対し充分には応じきれていない。たとえば、撮影時に振れて記録された画像が再生時に振れが生じないようにできる技術が提案されている（特許文献１参照。）。また、複数の原稿を編集する際に、任意の１枚に対して色変換編集した結果を記憶し、他の原稿に対しても同様の編集を自動で行なう技術が提案されている（特許文献２参照。）。
【０００８】
【特許文献１】
特開平１１−１８７３０３号公報
【０００９】
【特許文献２】
特開平１０−２１０２６９号公報
【００１０】
【発明が解決しようとする課題】
しかしながら、これらの従来技術を使用しても、上記の課題の解決は困難であった。
【００１１】
本発明はこのような事情に鑑みてなされたもので、連写された一連の静止画ファイル又は動画ファイルを一括して編集することにより、画像中の特定箇所の変化過程を確認するのに便宜な画像編集装置を提供することを目的とする。
【００１２】
【課題を解決するための手段】
前記目的を達成するために、請求項１に係る発明は、再生中の動画を一時停止させ、所定のフレーム画像を表示させる手段と、前記表示されたフレーム画像中の任意の座標に所定形状のマーキングを書き込む手段と、前記表示されたフレーム画像の前及び／又は後の所定数のフレーム画像中の同一座標に同一形状のマーキングを書き込む手段と、前記表示されたフレーム画像及び前記表示されたフレーム画像の前及び／又は後の所定数のフレーム画像を同時にインデックス表示又は動画表示させる手段と、を備えたことを特徴とする画像編集装置を提供する。
【００１３】
また、請求項２に係る発明は、再生中の動画を一時停止させ、所定のフレーム画像を表示させる手段と、前記表示されたフレーム画像中の任意の座標に所定形状のマーキングを書き込む手段と、前記表示されたフレーム画像の前及び／又は後の所定数のフレーム画像中の同一座標に同一形状のマーキングを書き込む手段と、前記表示されたフレーム画像及び前記表示されたフレーム画像の前及び／又は後の所定数のフレーム画像を保存させる手段と、を備えたことを特徴とする画像編集装置を提供する。
【００１４】
本発明によれば、一時停止させた動画像中の任意の座標に所定形状のマーキングを書き込むことができ、また、この画像の前及び／又は後の所定数のフレーム画像中の同一座標に同一形状のマーキングを書き込むことができる。これにより、画像中の特定箇所の変化過程を確認するのが極めて容易になる。
【００１５】
請求項３に係る発明は、連続的に撮影された一連の静止画ファイルのうち、所定の静止画像を表示させる手段と、前記表示された静止画像中の任意の座標に所定形状のマーキングを書き込む手段と、前記表示された静止画像の前及び／又は後の所定数の静止画像中の同一座標に同一形状のマーキングを書き込む手段と、前記表示された静止画像及び前記表示された静止画像の前及び／又は後の所定数の静止画像を同時にインデックス表示又はコマ送り表示させる手段と、を備えたことを特徴とする画像編集装置を提供する。
【００１６】
また、請求項４に係る発明は、連続的に撮影された一連の静止画ファイルのうち、所定の静止画像を表示させる手段と、前記表示された静止画像中の任意の座標に所定形状のマーキングを書き込む手段と、前記表示された静止画像の前及び／又は後の所定数の静止画像中の同一座標に同一形状のマーキングを書き込む手段と、前記表示された静止画像及び前記表示された静止画像の前及び／又は後の所定数の静止画像を保存させる手段と、を備えたことを特徴とする画像編集装置を提供する。
【００１７】
本発明によれば、所定の静止画像中の任意の座標に所定形状のマーキングを書き込むことができ、また、この画像の前及び／又は後の所定数の静止画像中の同一座標に同一形状のマーキングを書き込むことができる。これにより、画像中の特定箇所の変化過程を確認するのが極めて容易になる。
【００１８】
【発明の実施の形態】
以下、添付図面に従って本発明に係る画像編集装置の好ましい実施の形態について詳説する。図１は本発明に係る画像編集装置としての機能を備えたパソコン（パーソナルコンピュータ）のハードウェア構成例を示すブロック図である。
【００１９】
図１に示されるように、パソコン１は、主として各構成要素の動作を制御する中央処理装置（ＣＰＵ）１０と、装置の制御プログラムが格納されたり、プログラム実行時の作業領域となる主メモリ１２と、パソコン１のオペレーティングシステム（ＯＳ）、パソコン１に接続された周辺機器のデバイスドライバ、画像編集処理のプログラムを含む各種のアプリケーションソフト、ユーザの画像等が格納されるハードディスク装置１４と、ＤＶＤ−Ｒ／ＲＷ装置であるＣＤ−ＲＯＭドライブ１６と、表示用データを一時記憶する表示メモリ１８と、この表示メモリ１８からの画像データ、文字データ等により画像や文字等を表示するＣＲＴモニタや液晶モニタ等のモニタ装置２０と、キーボード２２と、位置入力装置としてのマウス２４と、マウス２４の状態を検出してモニタ装置２０上のマウスポインタの位置やマウス２４の状態等の信号をＣＰＵ１０に出力するマウスコントローラ２６と、デジタルカメラ２と接続して画像データ等の入力が可能なＵＳＢ（Ｕｎｉｖｅｒｓａｌ　Ｓｅｒｉａｌ　Ｂｕｓ）などのインターフェース２７と、上記各構成要素を接続するバス２８とから構成されている。
【００２０】
なお、上記構成のパソコン１及びデジタルカメラ２は、周知のものであるため、各構成要素の詳細な説明については省略する。
【００２１】
次に、インターフェース２７を介して接続されているデジタルカメラ２のメモリカード、又はパソコン１のハードディスク装置１４に格納されている複数の静止画ファイル又は動画ファイルから画像を表示し、その画像中の任意の座標に所定形状のマーキングを書き込むとともに、この画像の前及び／又は後の所定数の画像中の同一座標に同一形状のマーキングを書き込み、モニタ装置２０にインデックス表示させる場合、又は、ＤＶＤ−ＲＡＭやＣＤ−Ｒなどの記録メディアに書き込む場合の実施の形態について説明する。
【００２２】
図２は、本発明に係る画像編集装置におけるモニタ装置の操作画面（フレーム画像又は静止画像）を示す図であり、図３は、同じく操作画面（インデックス表示）を示す図であり、図４は、動画ファイル編集の処理手順を説明するフローチャートであり、図５は、静止画ファイル編集の処理手順を説明するフローチャートである。
【００２３】
先ず、動画に対する処理について説明する。パソコン１を起動し、動画表示のプログラムを実行させ、編集を行なう動画ファイルを選択する（図４のステップＳ１０）。そして、選択した動画ファイルをパソコン１のモニタ装置２０に再生表示させる（ステップＳ１２）。
【００２４】
再生表示の際に、一時停止させ、基準となるフレーム画像を表示させる（ステップＳ１４）。この状態が図２に示される。なおこの際、最適なフレーム画像を選択できるように、再生表示をスローモードで行なわせてもよい。
【００２５】
次に、図２に示される操作画面５０中のフレーム画像Ｇ０にマーキングＭを書き込ませる（ステップＳ１６）。この際、操作者が決定するのは、マーキングＭを書き込む際の画像中のマーキングＭの中心座標（Ｘ、Ｙ座標）、マーキングＭの形状（円形、楕円形、矩形、等）、マーキングＭのサイズ、マーキングＭの色である。
【００２６】
マーキングＭの中心座標は、パソコン１のマウス２４を操作（ダブルクリック）することにより画像Ｇ０上で選択するのが一般的である。マーキングＭの形状は、図示しないツールバーの形状選択表示部等により選択できる。なお、図示の例では、ゴルファーの頭部にマーキングＭを書き込むので、円形のマーキングＭが選択されている。
【００２７】
マーキングＭのサイズは、サイズ選択バー５６により選択できる。なお、図示の例では、ゴルファーの頭部にマーキングＭを書き込むので、ゴルファーの頭部より一回り程度大き目のサイズが選択されている。マーキングＭの色は、色彩選択表示部５２と変更ボタン５４により選択できる。その他、図２に示される操作画面５０おいて、キャンセルボタン５８、６０及び６２が設けられており、用途に応じて適宜利用できる。
【００２８】
操作者がマウス２４等を操作し、マーキングＭの中心座標（Ｘ、Ｙ座標）、マーキングＭの形状、マーキングＭのサイズ及びマーキングＭの色を決定した後、適用ボタン６４を操作することにより、マーキングＭの書き込み（ステップＳ１６）が終了する。
【００２９】
次に、マーキングＭの書き込み終了後に自動的に、又はキーボード等の操作により図３に示されるインデックス表示の操作画面７０がモニタ装置２０に表示される（ステップＳ１８）。この際に、図示しない設定画面にインデックス表示の内容が質問形式で表示され、設定値の入力を促すようにしてもよい。入力すべき設定値としては、フレーム画像の数（図示のものは、１５画像）、配置（図示のものは、３行、５列）、フレーム画像の抜き取り頻度（たとえば、動画ファイル中の３コマおきに抽出）、及び、図２のフレーム画像の前及び／又は後のフレーム画像数（図示のものは、図２のフレーム画像の後１４画像分）である。
【００３０】
図３において、左上のフレーム画像Ｇ１は、図２のフレーム画像Ｇ０と同一のものであり、縮小率のみ相違している。以下、時系列的にＧ２〜Ｇ１５までが横書き（文章の）の順列で表示されている。これらの各フレーム画像Ｇ１〜Ｇ１５において、それぞれの同一座標（Ｘ、Ｙ座標）にマーキングＭが配されている。
【００３１】
したがって、図３に示されるインデックス表示を見ることにより、基準となるフレーム画像（この場合は、フレーム画像Ｇ１）と他のフレーム画像Ｇ２〜Ｇ１５との比較が容易となり、ゴルファーの頭部の動きの有無が一目で判別できる。
【００３２】
一般的には、ゴルフのスイング動作において、頭の振れが少ない方が良いショットが得られるとされており、このようなマーキングＭの表示によりスイング動作の矯正が容易となる。
【００３３】
なお、図３のインデックス表示は例示であり、これ以外の設定画面とすることは用途に応じて任意に選択し得る。本例では、ゴルフのスイング動作の開始から終了までが１５画面に分割されて時系列的に表示されており、この表示がなされるべく、動画ファイルからのフレーム画像の最適な抜き取り頻度が選択されている。
【００３４】
これ以外の一例では、たとえば、野球の投球動作において、軸足の傾きの度合いをチェックする用途が挙げられる。この場合にはマーキングＭを縦長の矩形とし、ピッチャーの軸足を覆うように配すればよい。
【００３５】
以上、インデックス表示（ステップＳ１８）について説明したが、この後にプリント（ハードコピー）が必要な場合の有無が問われ（ステップＳ２０）、必要（ＹＥＳ）な場合にはプリントがなされる（ステップＳ２２）。更に、このインデックス表示画像の保存が必要な場合の有無が問われ（ステップＳ２４）、必要（ＹＥＳ）な場合にはメモリーへのセーブがなされる（ステップＳ２６）。
【００３６】
以上でこの動画ファイルの編集は終了するが、他の動画ファイルの編集が必要な場合の有無が問われ（ステップＳ２８）、必要、すなわち終了しない（ＮＯ）場合にはフローの最初（ステップＳ１０）に戻って新たな動画ファイルの選択がなされ、不要、すなわち終了する（ＹＥＳ）場合にはプログラムを終了する（ステップＳ９９９）。
【００３７】
以上に説明した動画ファイル編集の処理手順を実施するためのハードウェア及びソフトウェアは、いずれも公知の各種手段を採用することにより実現できるので、ここでは詳細な説明は省略する。たとえば、ハードウェアとしては図１に示したパソコン１が採用でき、ソフトウェアとしては既存の動画ファイルソフト、図形表示ソフト等の組み合わせが採用できる。
【００３８】
次に、静止画に対する処理について説明する。ただし、図５に示される静止画ファイル編集の処理手順を説明するフローチャートは、図４の内容と大半の部分で共通するため、相違点についてのみ説明する。したがって、図５の各ステップＳにおいて、図４と同一・類似のステップについては同様の符合を付してその説明を省略する。なお、図２及び図３の操作画面は、動画に対する処理と共通である。
【００３９】
パソコン１を起動し、静止画表示のプログラムを実行させ、編集を行なう静止画ファイルを選択する（ステップＳ１１）。そして、選択した静止画ファイルをパソコン１のモニタ装置２０に再生表示させ、そのうちで基準となる静止画像を表示させる（ステップＳ１３）。以降は動画ファイルの処理フローと同一となる。
【００４０】
以上、本発明に係る画像編集装置の実施形態の例について説明したが、本発明は上記実施形態の例に限定されるものではなく、各種の態様が採り得る。
【００４１】
たとえば、本実施形態では、記録されている動画又は静止画をそのまま使用してインデックス表示するようにしたが、これに限らず、動画又は静止画より所定部分を抜き取り（たとえば、ゴルファーの部分のみ表示するように）インデックス表示するようにしてもよい。これによれば、ゴルファーのスイング動作がより鮮明に判別できる。
【００４２】
また、特定色に基づいて主要被写体を抽出するクロマキー処理によって抽出する方法を採用してもよい。これによれば、ゴルファーのスイング動作が一層鮮明に判別できる。
【００４３】
また、図４、図５における処理フローにおいて、インデックス表示（ステップＳ１８）の後にメモリーへのセーブ（ステップＳ２６）がなされているが、インデックス表示せずにメモリーへのセーブを行なうフローも採用できる。たとえば、定型のパターンで画像記録を行なう場合には、このようなフローの方が便宜となる。
【００４４】
更に、図４、図５における処理フローにおいて、インデックス表示（ステップＳ１８）がなされているが、これに代えて動画（図４）ではフル画面の動画表示をさせ、静止画（図５）ではフル画面のコマ送り表示をさせる態様も採用できる。
【００４５】
更に、本発明に係る画像編集装置は、パソコンに限らず、デジタルカメラ内の画像合成処理機能として追加されたものでもよい。これによれば、装置がよりコンパクトに構成できる。
【００４６】
【発明の効果】
以上説明したように、本発明によれば、一時停止させた動画像中の任意の座標に所定形状のマーキングを書き込むことができ、また、この画像の前及び／又は後の所定数のフレーム画像中の同一座標に同一形状のマーキングを書き込むことができる。これにより、画像中の特定箇所の変化過程を確認するのが極めて容易になる。
【００４７】
また、本発明によれば、所定の静止画像中の任意の座標に所定形状のマーキングを書き込むことができ、また、この画像の前及び／又は後の所定数の静止画像中の同一座標に同一形状のマーキングを書き込むことができる。これにより、画像中の特定箇所の変化過程を確認するのが極めて容易になる。
【図面の簡単な説明】
【図１】本発明に係る画像編集装置としての機能を備えたパソコンのハードウェア構成例を示すブロック図
【図２】本発明に係る画像編集装置におけるモニタ装置の操作画面（フレーム画像又は静止画像）を示す図
【図３】本発明に係る画像編集装置におけるモニタ装置の操作画面（インデックス表示）を示す図
【図４】本発明に係る動画ファイル編集の処理手順を説明するフローチャート
【図５】本発明に係る静止画ファイル編集の処理手順を説明するフローチャート
【符号の説明】
１…パソコン、２…デジタルカメラ、１０…中央処理装置（ＣＰＵ）、１２…主メモリ、１４…ハードディスク装置、１６…ＣＤ−ＲＯＭドライブ、２０…モニタ装置、２２…キーボード、２４…マウス、２７…インターフェース、５０…操作画面、７０…操作画面、Ｇ…画像、Ｍ…マーキング
【図１】
2004080614.tif 000003
【図２】
2004080614.tif 000004
【図３】
2004080614.tif 000005
【図４】
2004080614.tif 000006
【図５】
2004080614.tif 000007